(57)【要約】【課題】  特に、対物レンズの視野より大きな標本を観察する場合、複数のスキャン画像を張り合わせて違和感のない１枚の画像を正確に生成すること。【解決手段】    光源３と、光源３から出射された光を、対物レンズ６に導く照明光学系４と、試料を保持する担体２に向けて、照明光を照射する対物レンズ６と、対物レンズ６を介して形成された像を撮像する撮像手段７と、担体２と対物レンズ６とを相対移動させる移動機構と、相対移動によって得られた画像を処理する画像処理部８とを備え、画像処理部８は、画像の各々から共通の特徴部を検出する工程と、特徴部を一致させるようにそれぞれの画像を結合する工程を備える光学装置１を提供する。【選択図】    図１
2005284194.tif 000002
【特許請求の範囲】
【請求項１】
光源と、
該光源から出射された光を、対物レンズに導く照明光学系と、
試料を保持する担体に向けて、前記照明光を照射する前記対物レンズと、
前記対物レンズを介して形成された像を撮像する撮像手段と、
前記担体と前記対物レンズとを相対移動させる移動機構と、
前記相対移動によって得られた画像を処理する画像処理部とを備え、
前記画像処理部は、前記画像の各々から共通の特徴部を検出する工程と、前記特徴部を一致させるようにそれぞれの画像を結合する工程とを備えることを特徴とする光学装置。
【請求項２】
請求項１に記載の光学装置において、
前記担体が、２次元配列された標本培養部と、隣り合う該標本培養部の間に設けられた隔離部とを有し、
前記特徴部が、前記隔離部との境界線であることを特徴とする光学装置。
【請求項３】
請求項２に記載の光学装置において、
前記担体が、所定の培養条件に維持された培養容器内に配されており、
前記画像処理部が、前記標本培養部領域からの自家蛍光を利用して、標本培養部と前記隔離部との境界線の検出を行うことを特徴とする光学装置。
【請求項４】
請求項２又は３に記載の光学装置において、
前記照明光学系と前記対物レンズとの間に配されて、照明光学系から出射された光のうち所定の波長の光を透過する励起フィルタ及び該励起フィルタを透過した光を反射するダイクロイックミラーと、
前記担体からの戻り光のうち所定の波長の光をカットする励起光カットフィルタと、
該励起光カットフィルタを透過した光を前記撮像素子に結像させる結像レンズとを備えていることを特徴とする光学装置。
【請求項５】
請求項４に記載の光学装置において、
前記励起フィルタが、前記試料の蛍光物質の励起波長の光及び蛍光物質が発する蛍光波長の光とを同時に透過可能に設定され、
前記蛍光波長の光の強度を変更する強度変更手段を備えていることを特徴とする光学装置。
【請求項６】
請求項４又は５に記載の光学装置において、
前記ダイクロイックミラーが、前記試料の蛍光物質の励起波長の光及び蛍光物質が発する蛍光波長の光を反射するように設定されていることを特徴とする光学装置。
【請求項７】
請求項６に記載の光学装置において、
前記蛍光波長の光の反射率Ｒｄが、１％＜Ｒｄ＜１０％に設定されていることを特徴とする光学装置。
【請求項８】
請求項３から７のいずれか１項に記載の光学装置において、
前記隔離部には、前記試料の蛍光物質が発する蛍光波長と同一の波長の光を反射するミラーコーティングが施されていることを特徴とする光学装置。
【請求項９】
請求項８に記載の光学装置において、
前記ミラーコーティングの反射率Ｒｅが、１％＜Ｒｅ＜２０％に設定されていることを特徴とする光学装置。
【請求項１０】
既知の指標が記された担体上に保持されている試料の撮像画像を得る画像作成方法であって、
光源から出射された光を所定の照明光に調整すると共に、該照明光を前記担体に向けて照射する照射ステップと、
前記試料及び前記既知の指標を、隣接する領域同士が一部重複するように複数の領域に分けて撮像する撮像ステップと、
前記複数の領域を撮像した各画像を、重複する部分に写った同一の前記既知の指標を一致させるようにそれぞれ結合する結像ステップとを備えることを特徴とする画像作成方法。
【発明の詳細な説明】
【技術分野】
【０００１】
この発明は、顕微鏡観察において高倍率でありながら広視野の画像を得ることができる光学装置及び画像作成方法に関する。
【背景技術】
【０００２】
近年の遺伝子解析技術の進歩に伴って、人を含む多くの生物における遺伝子配列が明らかになってきている。それと共に、解析されたタンパク質等の遺伝子産物と疾病との因果関係も、少しずつ解明され始めている。また、今後さらに、各種タンパク質や遺伝子等を網羅的且つ統計的に解析するため、細胞を用いた様々な検査方法や装置が考えられ始めている。特に、このような解析を行うには、細胞を長期間培養しながら、所定の情報を検出することが必要である。そのため、顕微鏡下で細胞を培養し、観察することが可能な装置が求められている。
【０００３】
このような装置の１つとして、顕微鏡観察用の透明恒温培養容器を使用するものが知られている（例えば、特許文献１参照）。
この顕微鏡観察用の透明恒温培養容器（以下、単に培養容器とする。）は、各種の細胞の培養条件を設定可能な構成となっている。そのため、この培養容器は、一対の透明発熱プレート、二酸化炭素供給口及び二酸化炭素排出口、蒸発皿を有している。ここで、透明発熱プレートは、温度調節器により所定温度に制御可能となっている。また、二酸化炭素供給口及び排出口は、容器内部の二酸化炭素濃度を調整するためのである。そして、蒸発皿は、シール用パッキンにより密閉された容器内の湿度を保つためのものである。
この培養容器を使用しての観察では、容器内部の温度、二酸化炭素濃度及び湿度を制御可能であるので、細胞培養しながら観察を行なうことが可能である。即ち、透明発熱プレートの下方から、例えば、対物レンズで観察することにより、細胞の培養状態の経時変化を観察することが可能である。
【０００４】
細胞の観察方法としては、蛍光観察がある。特に、生きている状態での蛍光観察方法としては、例えば、リポソーム法、ジーンガン法やマイクロインジェクション法等がある。これらの方法により、遺伝子が導入された細胞等のダイナミックな変化を観察する技術が、急速に進歩を遂げている。近年、蛍光タンパクであるＧＦＰ（Green Fluorescent Protein）のめざましい進歩により、観察対象の時間的、空間的な変化を、顕微鏡下で連続蛍光観察する手法が注目を集めている。上記観察対象としては、例えば、生きた細胞内のオルガネラ（細胞小気管）や、タンパク質にいたる様々な物質挙動がある。
これらの観察方法を用いる場合には、マイクロアレイからの蛍光を高解像且つ広視野で観測する必要が生じる。このマイクロアレイは、例えば、プラスチック製又はガラス製のディッシュ、シャーレ、スライドガラス上に、数百から数万と非常に多くのスポットが形成されたものである。そして、観察時、このマイクロアレイは培養容器中に設置されている。
【０００５】
顕微鏡を用いて標本を観察する場合、一度に観察できる範囲は主に顕微鏡の対物レンズの倍率によって決定される。よって、対物レンズが高倍率になると、観察範囲は標本のごく一部に限られてしまう。これまで、高解像度で広視野角の顕微鏡画像を取得するための方法として、例えば、顕微鏡像出力方法（例えば、特許文献２参照）や顕微鏡システム（例えば、特許文献３参照）による方法が知られている。
この顕微鏡像出力方法では、標本を乗せるステージと照明とを相対的に走査する。そして、標本を複数の領域に分割した部分画像を取り込む。続いて、部分画像をタイルのようにそれぞれ合成して、標本全体の画像を作製する。
また、顕微鏡システムによる方法は、画像張り合わせにより標本の全体像を再構成する方法である。まず、標本全体を、複数の互いに重複する部分を有するような小領域に分割する。そして、顕微鏡を使用して各小領域を撮影し、撮影した各画像の重複部分の比較を行って位置ズレの検出を行う。そして、この位置ズレに基づいて各小領域の画像の位置を補正した後に画像を張り合わせる。このようにして、標本の広視野、高精細画像を生成する。
【特許文献１】特開平１０−２８５７６号公報（段落番号０００４−０００７、図１〜図４）
【特許文献２】特開平３−２０９４１５号公報（第３頁右欄上から５行目−第６頁左欄上から６行目、図１〜図４）
【特許文献３】特開平９−２８１４０５号公報（段落番号００１５−００８７、図１〜図１３）
【発明の開示】
【発明が解決しようとする課題】
【０００６】
しかしながら、従来技術では以下の問題点がある。
即ち、上記特許文献２記載の顕微鏡像出力方法では、ステージの移動誤差を考慮せずに、分割撮影された部分画像を単純に合成するだけである。ここで、一般的なステージの位置再現誤差は、数μｍから数十μｍである。このため、例えば、高倍率な対物レンズを使用して撮像する場合、隣接画像間のズレが、数画素から数十画素になる可能もある。そのため、各部分画像の撮像領域が正確に連ならない可能性があり、正確な標本全体像を得ることが難しかった。
【０００７】
また、上記特許文献３記載の顕微鏡システムによる方法では、標本の特徴部を使って画像の張り合わせを行っている。一方、領域分割の数や張り合わせ画像全体を生成する時間を少なくするため、重複領域は一般的に画像サイズの１０％から２０％しか取れない。従って、限られた重複部分に特徴的な標本像が存在しない場合には、重複部分のテンプレートマッチングが難しく、正確な位置ズレを検出できない可能性があった。そのため、正確な標本全体像を得ることが難しかった。
【０００８】
この発明は、このような事情を考慮してなされたもので、その目的は、特に対物レンズの視野より広い範囲を観察する場合、違和感のない１枚の画像を正確に生成することができる光学装置及び画像作成方法を提供することである。
【課題を解決するための手段】
【０００９】
上記目的を達成するために、本発明は、以下の手段を提供する。
請求項１に係る発明は、光源と、該光源から出射された光を、対物レンズに導く照明光学系と、試料を保持する担体に向けて、前記照明光を照射する前記対物レンズと、前記対物レンズを介して形成された像を撮像する撮像手段と、前記担体と前記対物レンズを相対移動させる移動機構と、前記相対移動によって得られた画像を処理する画像処理部を備え、前記画像処理部は、前記画像の各々から共通の特徴部を検出する工程と、前記特徴部を一致させるようにそれぞれの画像を結合する工程を備える光学装置を提供する。
【００１０】
この発明に係る光学装置においては、照明光学系により調整された照明光を、対物レンズにより担体に向けて照射する。また、撮像手段により、隣接する領域同士が一部重複するように、複数の領域に分けて試料の撮像を行う。この際、撮像手段で撮像した複数の領域、即ち、各画像には、特徴部（例えば、同一の、既知の指標の一部）が撮像されている。そして、画像処理部は、各画像の重複する部分に写った同一の既知の指標を、一致させる。このようにすることで、隣接する画像同士をそれぞれ正確に結合することができる。これにより、複数の画像を違和感なく１枚の画像として正確に生成することができる。従って、対物レンズの視野より大きな担体であったとしても、担体全体像、即ち、試料の全体像を正確に生成することができる。
【００１１】
請求項２に係る発明は、請求項１に記載の光学装置において、前記担体が、２次元配列された標本培養部と、隣り合う該標本培養部の間に設けられた隔離部とを有し、前記特徴部が、前記隔離部との境界線であり、この隔離部の検出を行う光学装置を提供する。
【００１２】
この発明に係る光学装置においては、標本培養部と隔離部との境界線を、既知の指標として利用している。よって、画像処理部では、まず、標本培養部と隔離部との戻り光の強度差により境界線を検出する。そして、該境界線を一致させることで、隣接する画像同士を正確に結合することができる。
【００１３】
請求項３に係る発明は、請求項２に記載の光学装置において、前記担体が、所定の培養条件に維持された培養容器内に配されており、前記画像処理部が、前記標本培養部領域からの自家蛍光を利用して、標本培養部と前記隔離部との境界線の検出を行うことを特徴とする光学装置。
【００１４】
この発明に係る光学装置においては、画像処置部が、標本培養部領域からの自家蛍光、例えば、培養容器内の培養液が発する自家蛍光を利用することで、標本培養部と隔離部との境界線を容易に検出することができ、該境界線を一致させることで、隣接する画像同士を正確に結合することができる。特に、培養液等の自家蛍光を利用できるので、複雑な構成を要する必要がない。
【００１５】
請求項４に係る発明は、請求項２又は３に記載の光学装置において、前記照明光学系と前記対物レンズとの間に配されて、照明光学系から出射された光のうち所定の波長の光を透過する励起フィルタ及び該励起フィルタを透過した光を反射するダイクロイックミラーと、前記担体からの戻り光のうち所定の波長の光をカットする励起光カットフィルタと、該励起光カットフィルタを透過した光を前記撮像素子に結像させる結像レンズとを備えている光学装置を提供する。
【００１６】
この発明に係る光学装置においては、照明光学系により所定の照明光に調整された光が、励起フィルタを透過することで、所定の波長の光のみが選択される。これらの波長の光は、ダイクロイックミラーで反射された後、対物レンズにより担体に照射される。また、担体からの戻り光は、励起光カットフィルタを透過することで、確実に所定の波長の光がカットされて、試料が発する蛍光及び蛍光と同程度の波長の光が取り出される。そして、これらの光は、結像レンズにより結像された後、撮像手段により撮像される。
このように、試料の蛍光観察と蛍光の波長の光を利用して既知の指標の撮像とを同時に行うことができるので、観察に要する時間の短縮化を図ることができる。また、特別な光学系を要する必要がない。
【００１７】
請求項５に係る発明は、請求項４に記載の光学装置において、前記励起フィルタが、前記試料の蛍光物質の励起波長の光及び蛍光物質が発する蛍光波長の光とを同時に透過可能に設定され、前記蛍光波長の光の強度を変更する強度変更手段を備えている光学装置を提供する。
【００１８】
この発明に係る光学装置においては、励起フィルタにより、試料の蛍光物質の励起波長の光及び蛍光物質が発する蛍光波長の光を確実に取り出すことができると共に対物レンズにより担体に向けて照射が行える。この励起波長の光の照射を受けて、試料の蛍光物質は蛍光を発する。また、蛍光波長の光は、既知の指標の撮像に使用される。このように、蛍光波長の光を撮像することで、蛍光観察及び既知の指標の観察を同時に行うことができる。特に、強度変更手段により、蛍光波長の強度を変更することができるので、蛍光観察に使用される光の強度に対して、既知の指標の撮像に使用される光の強度を最適な強度に調整することが可能である。従って、蛍光観察と既知の指標の観察とを明確に区別することができ、より高精度に各画像を結合して１枚の画像を生成することができると共に、より正確な蛍光観察を行うことができる。
【００１９】
請求項６に係る発明は、請求項４又は５に記載の光学装置において、前記ダイクロイックミラーが、前記試料の蛍光物質の励起波長の光及び蛍光物質が発する蛍光波長の光を反射するように設定されている光学装置を提供する。
【００２０】
この発明に係る光学装置においては、ダイクロイックミラーが、励起フィルタを透過した試料の蛍光物質の励起波長の光及び蛍光物質が発する蛍光波長の光を、確実に対物レンズに向けて反射するので、蛍光観察及び既知の指標の撮像を確実に行うことができる。
【００２１】
請求項７に係る発明は、請求項６に記載の光学装置において、前記蛍光波長の光の反射率Ｒｄが、１％＜Ｒｄ＜１０％に設定されている光学装置を提供する。
【００２２】
この発明に係る光学装置においては、励起フィルタを透過した蛍光波長の光は、ダイクロイックミラーにより反射された後、対物レンズにより担体に照射され、既知の指標の撮像に使用される。この際、反射率が１％以上であるので、蛍光物質が発する光強度に対して、既知の指標の反射光強度が弱くなることを防止でき、また、反射率が１０％未満であるので、蛍光物質が発する光強度に対して、既知の指標の反射光強度が強くなることを防止することができる。このように、既知の指標の反射光強度を最適な強度に調整することが可能である。従って、撮像手段のダイナミックレンジ内に収めることができ、確実に蛍光観察と既知の指標の撮像とを同時に行うことができる。
【００２３】
請求項８に係る発明は、請求項３から７のいずれか１項に記載の光学装置において、前記隔離部には、前記試料の蛍光物質が発する蛍光波長と同一の波長の光を反射するミラーコーティングが施されている光学装置を提供する。
【００２４】
この発明に係る光学装置においては、隔離部にミラーコーティングが施されているので、対物レンズにより照射された光のうち蛍光物質が発する蛍光波長と同一の波長の光は、隔離部で反射される。これにより、隔離部と標本培養部との戻り光の強度差をより明確にすることができ、より高精度に各画像を１枚の画像に結合することができる。
【００２５】
請求項９に係る発明は、請求項８に記載の光学装置において、前記ミラーコーティングの反射率Ｒｅが、１％＜Ｒｅ＜２０％に設定されている光学装置を提供する。
【００２６】
この発明に係る光学装置においては、ミラーコーティングの反射率Ｒｅが１％以上であるので、蛍光物質が発する光強度に対して、既知の指標の反射光強度が弱くなることを防止でき、また、反射率が２０％未満であるので、蛍光物質が発する光強度に対して、既知の指標の反射光強度が強くなることを防止することができる。このように、既知の指標の反射光強度を最適な強度に調整することが可能である。従って、撮像手段のダイナミックレンジ内に収めることができ、確実に蛍光観察と既知の指標の撮像とを同時に行うことができる。
【００２７】
請求項１０に係る発明は、既知の指標が記された担体上に保持されている試料の撮像画像を得る画像作成方法であって、光源から出射された光を所定の照明光に調整すると共に、該照明光を前記担体に向けて照射する照射ステップと、前記試料及び前記既知の指標を、隣接する領域同士が一部重複するように複数の領域に分けて撮像する撮像ステップと、前記複数の領域を撮像した各画像を、重複する部分に写った同一の前記既知の指標を一致させるようにそれぞれ結合する結像ステップとを備える画像作成方法を提供する。
【００２８】
この発明に係る画像作成方法においては、照射ステップにより、照明光を担体に向けて照射した後、撮像ステップにより、隣接する領域同士が一部重複するように複数の領域、即ち、各画像に分けて試料及び既知の指標の撮像を行う。この際、撮像手段により撮像した各画像には、同一の既知の指標の一部が撮像されている。そして、結像ステップにより、各画像の重複する部分に写った同一の既知の指標を一致させることで、隣接する画像同士をそれぞれ正確に結合することができ、複数の画像を違和感なく１枚の画像として正確に生成することができる。
【発明の効果】
【００２９】
以上説明したように、この発明に係る光学装置及び画像作成方法によれば、担体自体の構造に基づく特徴部、あるいは担体に設けられた特徴部を用いて画像の結合を行っている。よって、取得した画像には、必ず特徴部が含まれることになる。そのため、隣接する画像同士をそれぞれ正確に結合することができ、複数の画像を違和感なく１枚の画像として正確に生成することができる。従って、対物レンズの視野より大きな担体であったとしても、担体上に保持されている試料の全体像を正確に生成することができる。
【発明を実施するための最良の形態】
【００３０】
以下、本発明に係る光学装置及び画像作成方法の第１実施形態について、図１から図５を参照して以下に説明する。
本実施形態の光学装置１は、倒立型の蛍光顕微鏡である。この光学装置１では、図１に示すように、スライドガラス（担体）２上に保持された細胞（試料）Ａを、下方から観察する。この光学装置１は、光源３、照明光学系４、蛍光キューブ５、対物レンズ６、撮像手段７及び画像処理部８を備えている。
【００３１】
スライドガラス２は、図２及び図３に示すように、第１方向（スキャン方向）に延在した長方形状に形成されている。このスライドガラス２上には、細胞Ａを保持する標本培養部２ａが、複数形成されている。そして、隣り合う標本培養部２ａの間には、両者を隔離する隔離部が形成されている。この隔離部は、全体として格子状のパターン（以下、２次元パターン部２ｂとする。）を形成している。
標本培養部２ａは、例えば、外周部が円形状に形成されている。また、標本培養部２ａは、第１方向及び第１方向に直交する方向（第２方向）に所定間隔をあけて配置されている。この際、標本培養部２ａの大きさは、後述するスキャン幅より小さくなるように形成されている。例えば、図４に示すように、直径がスキャン幅の９５％の大きさになるように形成されている。なお、スライドガラス２は、図示しないステージ上に載置されている。このステージは、２次元方向（水平面内）に移動可能となっている。
細胞Ａは、標本培養部２ａ内に複数保持される。また、細胞Ａは、ＧＦＰ（蛍光物質）を含んでいる。ＧＦＰは、図３に示すように、波長４８９ｎｍの励起光が照射されると、波長５０９ｎｍの蛍光を発する蛍光物質である。
【００３２】
２次元パターン部２ｂは、スライドガラス２上において、標本培養部２ａ以外の領域である。この２次元パターン部２ｂには、上記ＧＦＰが発する蛍光波長、即ち、５０９ｎｍと同一の波長の光を反射するように、コーティングが施されている。このコーティングとしては、例えば、ダイクロイックコートがある。また、２次元パターン部２ｂは、液体を弾く疎水性領域的な役割も兼ねている。
なお、本実施形態においては、コーティングを施した部分は、所定の波長（あるいは波長域）の光に対して、反射率Ｒｅが１％＜Ｒｅ＜２０％の範囲内、例えば、１０％になるような特性となっている。例えば、２次元パターン部２ｂは、波長５０９ｎｍの光を１０％反射するようになっている。また、コーティングを施した部分は、それ以外の波長の光、例えば、波長４８９ｎｍの光を透過するようになっている。なお、標本培養部２ａ内の領域では、コーティングは施されていない。よって、波長５０９ｎｍ及び波長４８９ｎｍの光は、共に標本培養部２ａ内を透過する。
そのため、本実施形態では、波長５０９ｎｍの光は、標本培養部２ａをほとんど透過するが、２次元パターン部２ｂでは一部が反射される。その結果、標本培養部２ａと２次元パターン部２ｂとの境界線を挟んで、明暗の差が生じる。そこで、本実施形態では、この境界線を挟んで生じる明暗のパターンを、特徴部として後述する画像結合に利用している。
【００３３】
光源３は、図１に示すように、周囲にミラー１０が配されており、一方向（紙面に対して右側）に向けて光を出射できるようになっている。また、この光源３から射出される光には、波長５０９ｎｍ及び波長４８９ｎｍが含まれている。
照明光学系４は、コレクタレンズ１１、開口絞り１２、視野絞り１３及び視野レンズ１４を光源３側から順に有している。照明光学系４は、光源３から出射された光を、対物レンズ６に導く機能を有している。
【００３４】
蛍光キューブ５は、照明光学系４と対物レンズ６との間に配されている。また、蛍光キューブ５は、強度調整フィルタ（強度変更手段）１５、励起フィルタ１６、ダイクロイックミラー１７及び励起光カットフィルタ１８を有している。
強度調整フィルタ１５は、照明光学系４に隣接するよう配されている。この強度調整フィルタ１５は、照明光学系４から出射された照明光のうち、波長５０９ｎｍの光の強度を、所定の強度に調整する機能を有している。この強度は、上記ミラーコーティングの反射率Ｒｅと、後に説明するダイクロイックミラー１７の反射率Ｒｄとの相関関係により決定される。これについては、後に詳細に詳細に説明する。
励起フィルタ１６は、強度調整フィルタ１５に隣接するよう配されている。この励起フィルタ１６は、所定の波長の光、即ち、波長５０９ｎｍ及び波長４８９ｎｍの両波長の光のみを透過させる機能を有している。
【００３５】
ダイクロイックミラー１７は、励起フィルタ１６に隣接するよう配されている。このダイクロイックミラー１７は、該励起フィルタ１６を透過した波長５０９ｎｍ及び波長４８９ｎｍの光を、対物レンズ６に向けて反射させる機能を有している。この際、ダイクロイックミラー１７は、波長５０９ｎｍの光を反射する反射率Ｒｄが、１％＜Ｒｄ＜１０％の範囲内、例えば、５％に設定されている。なお、波長４８９ｎｍの光は、１００％反射するように設定されている。
対物レンズ６は、図５に示すように、ダイクロイックミラー１７で反射された光、即ち、波長５０９ｎｍ及び波長４８９ｎｍの光をスライドガラス２の表面に同時に照射できるようになっている。
励起光カットフィルタ１８は、ダイクロイックミラー１７を挟んで対物レンズ６に対向するように配されている。この励起光カットフィルタ１８は、スライドガラス２からの戻り光のうち、所定の波長の光、即ち、波長４８９ｎｍの光をカットする機能を有している。
【００３６】
撮像手段７は、結像レンズ１９及び撮像素子２０を有している。結像レンズ１９は、励起光カットフィルタ１８を透過した光、即ち、波長４８９ｎｍの光を、結像レンズ１９の結像面１９ａに結像させる。撮像素子２０は、例えば、結像面１９ａに配されたＣＣＤ等である。これにより、励起光カットフィルタ１８を透過した波長５０９ｎｍの光は、結像レンズ１９により集光され、像を形成する。この像が、撮像素子２０により撮像される。
【００３７】
また、スライドガラス２と撮像素子２０は、相対的に移動するように構成されている。本実施形態では、撮像素子２０の位置は固定であり、スライドガラス２がステージによって移動する。このとき、スライドガラス２は、直交する２つの方向に移動する。
上記のように、スライドガラス２が撮像素子２０に対して移動する。よって、図２及び図４に示すように、結果として、撮像素子２０は、第１方向（スライドガラス２の長手方向）に沿って、スライドガラス２をライン状にスキャンするように撮像を行うことになる。そして、撮像素子２０は、１つの領域（スキャン幅）を撮像した後に、第１方向に直交する方向（第２方向）に移動する。そして、移動した位置から、再び第１の方向に沿って撮像を行う。このように、本実施形態では、第１方向における撮像と第２方向への移動を繰り返して行うことで、複数の領域の撮像を行う。これにより、スライドガラス２全体を撮像することができる。なお、撮像する際に、スキャン幅の中心線上に標本培養部２ａの中心が一致するように、撮像素子２０とスライドガラス２が位置決めされている。
また、本実施形態では、撮像する際に、隣接する領域同士が一部重複するように撮像を行うようになっている。すなわち、本実施形態では、隣接する撮影領域が一部重複するように、ステージの第２方向への移動が制御されている。なお、重複する割合は、例えば、２回目以降に撮像するスキャン幅の５％の領域が、最初に撮像したスキャン幅の５％の領域に重複するようになっている。
ここで、第２の方向に関しては、第１の標本培養部２ａ全体と第２の標本培養部２ａ’一部が、スキャン幅の内側に含まれる。このうち、第１の標本培養部２ａは、撮像対象の細胞Ａが保持されている標本培養部である。また、第２の標本培養部２ａ’は、第１の標本培養部２ａに隣接する標本培養部である。この第２の標本培養部２ａ’は、第２の方向に位置している。そして、重複した５％の領域に、標本培養部２ａと２次元パターン部２ｂとの境界線（標本培養部２ａの輪郭）とが、標本培養部２ａ’と２次元パターン部２ｂとの境界線（標本培養部２ａ’の輪郭）が含まれるようになっている。したがって、本実施例では、最初のスキャンで得られた画像にも、隣接する次のスキャンで得られた画像にも、共通の境界線（特徴部）が存在することになる。
【００３８】
撮像素子２０は、撮像したスキャン画像を、画像処理部８に送るようになっている。画像処理部８は、撮像素子２０から送られてきた各スキャン画像を、一旦記憶する。そして、重複する部分に写った境界線を一致させることで、各スキャン画像をそれぞれ結合するようになっている。この際、画像処理部８は、標本培養部２ａの明るさと２次元パターン部２ｂの明るさとの差により、境界線の検出を行う。これについては、後に詳細に説明する。
【００３９】
また、本実施形態では、ＧＦＰが発する波長５０９ｎｍの光の強度に対して、２次元パターン部２ｂで反射された波長５０９ｎｍの光の強度が、±１０％の範囲内になるように設定されている。なお、２次元パターン部２ｂで反射された波長５０９ｎｍの光の強度は、上述した強度調整フィルタ１５の強度（透過率）、ダイクロイックミラー１７の反射率（Ｒｄ）５％及び２次元パターン部２ｂのミラーコーティングの反射率（Ｒｅ）１０％の乗算によって決まる。
【００４０】
また、本実施形態の光学装置１は、図１に示すように、スライドガラス２の上方に配された透過照明光学系３０を備えている。即ち、透過照明光学系３０は、光源３１、ミラー３２、コレクタレンズ３２、開口絞り３３、視野絞り３４及び視野レンズ３５、３６を備えている。
ここで、ミラー３２は、該光源３１からの光を一方向（紙面に対して下側）に出射する。また、コレクタレンズ３２は、光源３１から出射された光をスライドガラス２に照射する。
【００４１】
このように構成された光学装置１により、スライドガラスの全体を１枚の画像として生成する場合について、以下に説明する。
まず、ステージを駆動させて、初期位置にスライドガラス２を移動させる。その後、光源３からの照明光を照明光学系４を介して、スライドガラス２に向けて照射する照射ステップを行う。
即ち、光源３から照射された光は、ミラー１０の内周面で反射された後、コレクタレンズ１１に入射する。コレクタレンズ１１に入射した光は、平行光となった後、開口絞り１２、視野絞り１３及び視野レンズ１４を通過して、強度調整フィルタ１５に入射する。
【００４２】
強度調整フィルタ１５に入射した光は、蛍光波長５０９ｎｍの光強度が所定の強度になるよう調整される。照明光は、励起フィルタ１６を透過することで、励起波長４８９ｎｍ及び蛍光波長５０９ｎｍ以外の波長の光がカットされる。よって、励起波長４８９ｎｍ及び蛍光波長５０９ｎｍの光のみが、ダイクロイックミラー１７に入射する。ダイクロイックミラー１７に入射した光は、励起波長４８９ｎｍの光が１００％反射されると共に、蛍光波長５０９ｎｍの光が５％反射されて対物レンズ６に入射する。そして、図５に示すように、スライドガラス２の表面に向けて、下方から両波長４８９ｎｍ、５０９ｎｍの光が照射される（照射ステップ）。
【００４３】
２次元パターン部２ｂには、波長４８９ｎｍ、５０９ｎｍの光が照射される。このうち、波長４８９ｎｍの光は、２次元パターン部２ｂを透過する。一方、波長５０９ｎｍの光はミラーコーティングによって１０％反射される。この反射された波長５０９ｎｍの光は、図１に示すように、ダイクロイックミラー１７及び励起光カットフィルタ１８を順次透過して、結像レンズ１９に入射する。なお、波長４８９ｎｍの光も、多少は２次元パターン部２ｂで反射される。しかしながら波長４８９ｎｍの光が紛れ込んだとしても、励起光カットフィルタ１８でカットされる。よって、結像レンズ１９には、波長５０９ｎｍの光のみが確実に入射する。
【００４４】
また、図３に示すように、標本培養部２ａの細胞Ａが存在しない領域、又は、細胞Ａが存在してもＧＦＰが存在しない領域では、両波長４８９ｎｍ、５０９ｎｍの光は共に標本培養部２ａ又は細胞Ａを透過する。
一方、細胞Ａ内にＧＦＰが存在する部分では、励起波長４８９ｎｍの光を受けて、ＧＦＰが波長５０９ｎｍの蛍光を発する。この蛍光は、上述した２次元パターン部２ｂで反射された蛍光波長５０９ｎｍの光と同様に、ダイクロイックミラー１７及び励起光カットフィルタ１８を順次透過して、結像レンズ１９に入射する。
【００４５】
上述した照射ステップを行なった後、撮像ステップを行う。この撮像ステップでは、スライドガラス２全体を複数の領域に分けて撮像する。そして、その撮像を行うにあたっては、スキャン領域が一部重複するように撮像を行う。まず、結像レンズ１９に入射した波長５０９ｎｍの光は、結像面１９ａに結像された後、撮像素子２０により撮像される。この波長５０９ｎｍの光には、２次元パターン部２ｂ及びＧＦＰから発生した蛍光が含まれる。つまり、撮像素子２０は、２次元パターン部２ｂで反射された波長５０９ｎｍの光、及びＧＦＰが発した波長５０９ｎｍの蛍光を、特別な光学系を必要とせずに同時に撮像する。前述のように、２次元パターン部２ｂで反射された光の強度は、強度調整フィルタ１５の強度、ダイクロイックミラー１７反射率Ｒｄ及び２次元パターン部２ｂのミラーコーティングの反射率Ｒｅにより、適切な強度に設定されている。具体的には、２次元パターン部２ｂで反射された光の強度は、ＧＦＰが発する蛍光の強度に対して±１０％の範囲内になるように設定されている。そのため、両像を撮像素子２０のダイナミックレンジ内に確実に収めると共に、明確に区別してコントラスト高く撮像することができる。撮像素子２０は、撮像した各スキャン画像を画像処理部８に送る。
【００４６】
また撮像を行う際、図２及び図４に示すように、ステージを第１方向に移動させて、スキャン画像、即ち、１つの領域の撮像を行う。この最初の領域の撮像が終了した後、ステージを第１方向に逆向きに移動させて元の位置に戻す。そして、次の撮像領域が、最初の撮像領域と一部重複するように、ステージを介してスライドガラス２を第２方向に移動させる。この時、次の撮像領域のスキャン幅の５％が、最初の撮像領域のスキャン幅の５％に重複するようにステージを移動させる。その後、上述したのと同様に、ステージを再度第１方向に移動させて、撮像手段２０により次のスキャン画像を取得する。この際、重複する部分には、最初の領域で撮像した特徴部、即ち、標本培養部２ａと２次元パターン部２ｂとの境界線が撮像されている。
このように、撮像ステップでは、、各スキャン画像同士が一部重複するように撮像を繰り返すことで、スライドガラス２の全体を複数の領域に分けて撮像する。
【００４７】
撮像ステップの終了後、結合ステップを行う。この結合ステップは、重複する部分に写った同一の特徴部を一致させるように、複数の領域を撮像した各スキャン画像をそれぞれ結合する。即ち、画像処理部８は、撮像素子２０から送られてきた複数のスキャン画像の記録を行うと共に、隣接するスキャン画像同士の結合を行う。これにより、複数のスキャン画像を、容易且つ確実に違和感のない１枚の画像に生成することができる。
上述したように、標本培養部２ａと２次元パターン部２ｂは、スライドガラス２自体の構造である。したがって、両者によって形成される境界線、即ち特徴部は必ず存在する。また、境界線近傍においてＧＦＰによる蛍光が発生することは、ほとんどない。これは、細胞Ａは標本培養部２ａのほぼ中央部にあること、及びＧＦＰが存在する位置も、細胞Ａの内部であることによる。そのため、境界線をはっきり認識することができる。このように、本実施形態によれば、ＧＦＰが発する蛍光の発光位置と２次元パターン部２ｂで反射された光の位置とが、明確に区別される。そのため、撮像素子２０に入射する光が同一の波長５０９ｎｍの光であっても、確実に特徴部を、細胞Ａ（ＧＦＰが発する蛍光）とは分けて判別することができる。従って、標本培養部２ａと２次元パターン部２ｂとの光（波長５０９ｎｍの光）の強度差により、境界線を確実に検出することができる。
更に、本実施形態の光学装置１は、透過照明光学系３０を備えているので、透過照明による観察も可能である。
【００４８】
上述したように、この光学装置１及び画像作成方法によれば、ステージ駆動に多少の誤差があったとしても、スライドガラス２全体における蛍光画像を、正確に１枚の画像として生成することができる。また、蛍光観察と特徴部の撮像とを同時に行うことができるので、観察に要する時間の短縮化を図ることことができる。更に、特徴部はスライドガラス２自体の構造に基づいたものであるので、必ず検出することができる。
また、この光学装置１では、励起フィルタ１６、ダイクロイックミラー１７及び対物レンズ６を備えているが、これらは蛍光顕微鏡の基本構成である。よって、特別な光学系を必要とせずに、確実に励起波長４８９ｎｍの光及び蛍光波長５０９ｎｍの光をスライドガラス２に照射することができる。また、励起光カットフィルタ１８により、確実に蛍光及び蛍光と同程度の波長５０９ｎｍの光のみを撮像手段７に入射させることができるので、鮮明な画像を得ることができる。
また、強度調整フィルタ１６、ダイクロイックミラー１７の反射率Ｒｄ及び２次元パターン部２ｂのミラーコーティングの反射率Ｒｅが、適切に設定されている。これにより、ＧＦＰが発する蛍光の強度に対して、２次元パターン部２ｂで反射された波長５０９ｎｍの光の強度が適切な強度に調整されている。よって、細胞Ａの蛍光観察及び特徴部の撮像を、撮像手段７のダイナミックレンジ内で確実に行うことができる。
【００４９】
次に本発明に係る光学装置１の第２実施形態について、図６を参照して説明する。なお、第２実施形態において第１実施形態と同一の構成については、同一の符号を付しその説明を省略する。
第２実施形態と第１実施形態との異なる点は、第２実施形態では、励起波長４８９ｎｍの光を照射して、蛍光観察及び既知の指標の撮像を行う点である。
【００５０】
第２実施形態の光学装置４０は、図６に示すように、スライドガラス２が、培養液Ｂと共に所定の培養条件に維持された培養容器４１内に配されている。
この培養容器４１は開口が空いたステージ上に載置可能とされており、筒状の筐体４２と、一対のガラス板４３とを備えている。ここで、開口の大きさは、少なくともスライドガラス２の寸法と同程度である。また、筐体４２は筒状であって、スライドガラス２を収容可能である。更に、筐体４２は、熱伝導に優れた材質、例えば、ステンレスやアルミで形成されている。一対のガラス板４３は、筐体４２の上下開口を塞ぐもので、光学的に平滑な面を有している。
また、筐体４２と一対のガラス板４３との接合面には、図示しないパッキン等が配されており、内部の水密が確保されている。パッキンとしては、フッ素樹脂、例えば、４フッ化エチレン製のパッキンが用いられる。これにより、スライドガラス２を培養容器４１内に収納するため、一対のガラス板４３を筐体４２から脱着したとしても、培養容器４１内部を水密状態にすることが可能である。
なお、一対のガラス板４３の内面に、培養液Ｂの気泡の付着を防ぐための高親水性処理等を施すと良い。また、スライドガラス２を収納した後に一対のガラス板４３をシリコン接着剤等により完全に筐体４２に密閉固定しても構わない。
【００５１】
また、培養容器４１には、培養液供給パイプ４５、培養液排出パイプ４６及び一対の整流子部材４７を備えている。ここで、培養液供給パイプ４５は、筐体４２内部に培養液Ｂを供給するためのものである。培養液排出パイプ４６は、筐体４２内部から不要となった培養液Ｂを排出するためのものである。一対の整流子部材４７は、培養液Ｂの流れを分散させるためのものである。
培養液供給パイプ４５は、筐体４２の一端側且つ下方側に設けられ、培養液排出パイプ４６は、筐体４２の他端側且つ上方側に設けられている。これにより、培養液供給パイプ４５から供給された培養液Ｂは、培養容器４２の内部を満たした後、培養液排出パイプ４６から外部に排出されるようになっている。
なお、培養液供給パイプ４５は、培養液温度が制御された図示しない培養液供給源に接続されており、例えば、３７℃±０．５℃の所定温度に制御された培養液Ｂが供給されるようになっている。
【００５２】
上記一対の整流子部材４７は、培養液供給パイプ４５及び培養液排出パイプ４６とスライドガラス２との間に配設されている。この一対の整流子部材４７は、厚さ方向に複数の貫通孔４８を有する板状の多孔性部材により形成されている。これにより、培養液供給パイプ４５側の整流子部材４７は、内部に供給される培養液Ｂを、複数の貫通孔４８に分散させて流通させることが可能である。また、培養液排出パイプ４６側の整流子部材４７は、外部へ排出される培養液Ｂを、複数の貫通孔４８に分散させて流通させることが可能である。このように、整流子部材４７によって、集中的な培養液Ｂの流れを分散流に変換できる。したがって、細胞Ａが配置されているスライドガラス２近傍において、培養容器４２の横断面のほぼ全領域で、一定の流速及び流量で培養液Ｂを流動させることが可能である。
【００５３】
また、本実施形態の光学装置４０では、励起フィルタ１６及びダイクロイックミラー１７等が構成されている。これにより、培養容器４１内のスライドガラス２に向けて、対物レンズ６により波長４８９ｎｍの光を照射することができる。また、画像処理部８は、標本培養部２ａと２次元パターン部２ｂとの境界線の検出を行うように設定されている。これについては、後に詳細に説明する。
ここで、本実施形態では、２次元パターン部２ｂに、波長４８９ｎｍの光を透過するようなコーティングが施されている。
【００５４】
このように構成された光学装置４０により、スライドガラスの全体画像を１枚の画像として生成する場合について説明する。
まず、培養容器４１内に、細胞Ａが保持されたスライドガラス２を収納させ、その後、培養液供給源を作動させて、培養液供給パイプ４５から培養容器４１内に培養液Ｂを供給する。このようにして、培養容器４１内部を、所定の培養条件になるように設定する。この供給された培養液Ｂは、一対の整流子部材４７を介して培養容器４１内を満たすと共に、培養液排出パイプ４６から培養容器４１外部に排出される。このように、培養液Ｂは、循環するようになっており、細胞Ａに対して常に新鮮な培養液Ｂが供給される。
【００５５】
次に、照射ステップを行う。これは、対物レンズ６により、波長４８９ｎｍの光をスライドガラス２の下方から照射する。２次元パターン部２ｂに照射された波長４８９ｎｍの光は、２次元パターン部２ｂを透過する。一方、標本培養部２ａには、該標本培養部２ａを透過して培養液Ｂに照射がされる。これにより、培養液Ｂが波長５０９ｎｍの自家蛍光を発する。また、ＧＦＰを含む細胞Ａが存在する場所では、ＧＦＰが励起波長４８９ｎｍの光を受けて蛍光を発する。撮像手段７は、この蛍光も同時に撮像を行う。
【００５６】
上述したように、撮像ステップでは、第１実施形態と同様にステージを移動させながら撮像が行われる。よって、撮像素子２０は、蛍光及び自家蛍光の撮像を各領域で行って、スキャン画像の取得を行う。その際、２次元パターン部２ｂからは光は反射されないので、２次元パターン部２ｂの画像の明るさはゼロに近い。一方、標本培養部２ａでは、培養液Ｂによる自家蛍光が発生している。よって、標本培養部２ａの明るさは、２次元パターン部２ｂよりも明るい。よって、標本培養部２ａと２次元パターン部２ｂの境界線を確実に認識できる。よって、結合ステップにおいて、画像処理部８が、標本培養部２ａと２次元パターン部２ｂとの境界線、即ち、特徴部を精度良く検出することができる。その結果、隣接する各スキャン画像を、容易且つ正確に、違和感のない１枚の画像に結合することができる。
【００５７】
上述したように、本実施形態の光学装置４０によれば、励起波長４８９ｎｍの光を照射するだけで、スライドガラス２全体の細胞Ａの蛍光画像を１枚の画像に生成することができる。特に、異なる波長の光を照射する必要がないので、構成のシンプル化を図ることができる。更に、細胞Ａを培養しながら観察できるので、長期的な観察を行うことができる。
【００５８】
なお、本発明の技術範囲は、上記実施形態に限定されるものではなく、本発明の趣旨を逸脱しない範囲において、種々の変更を加えることが可能である。
例えば、各実施形態において、標本培養部と２次元パターン部との境界線を既知の指標としたが、これに限らず、既知の指標が記されていれば構わない。この場合、複数の領域を撮像するときに、各領域に既知の指標が写るように撮像すれば良い。
また、標本培養部の形状を円状としたが、四角等の多角形状でも良いし、楕円形状でも良く、形状に限定されるものではない。
【００５９】
また、各実施形態では、波長４８９ｎｍの光、波長５０９ｎｍの光を利用したが、これらの波長に限定されるものではなく、任意に設定して構わない。また、第１実施形態において、ダイクロイックミラーにより波長５０９ｎｍの光を反射する反射率を５％に設定したが、１％以上１０％未満の範囲内にあれば構わない。同様に、２次元パターン部のミラーコーティングにより波長５０９ｎｍの光の反射する反射率を１０％に設定したが、１％以上２０％未満の範囲内にあれば構わない。特に、これらの反射率及び強度調整フィルタの強度は、ＧＦＰが発する蛍光強度及び撮像素このダイナミックレンジ等を考慮にいれて、それぞれ調整することが好ましい。
【図面の簡単な説明】
【００６０】
【図１】本発明に係る光学装置の第１実施形態を構成図である。
【図２】図１に示す光学装置で使用されるスライドガラスの一例を示す上面図である。
【図３】図２に示すスライドガラスの断面図である。
【図４】図２に示すスライドガラスの矢印Ｃの拡大図である。
【図５】対物レンズにより、両波長４８９ｎｍ、５０９ｎｍの光をスライドガラスに照射している状態を示す側面図である。
【図６】本発明に係る光学装置の第２実施形態を示す図であって、培養容器内に収納されているスライドガラスに励起波長４８９ｎｍの光を対物レンズにより照射している状態を示す断面図である。
【符号の説明】
【００６１】
Ａ    細胞（試料）
１、４０    光学装置
２    スライドガラス（担体）
２ａ    標本培養部
２ｂ    ２次元パターン部（隔離部）
３    光源
４    照明光学系
６    対物レンズ
７    撮像手段
８    画像処理部
１５    強度調整フィルタ（強度変更手段）
１６    励起フィルタ
１７    ダイクロイックミラー
１８    励起光カットフィルタ
１９    結像レンズ
４１    培養容器
【図１】
2005284194.tif 000003
【図２】
2005284194.tif 000004
【図３】
2005284194.tif 000005
【図４】
2005284194.tif 000006
【図５】
2005284194.tif 000007
【図６】
2005284194.tif 000008